(57)【要約】【課題】  汚水中の残渣を良好に除去することができる残渣除去装置を提供すること。【解決手段】  排水口２８を備え、汚水が充填される第１タンク２６と、第１タンク２６内を負圧にするための吸引モータ３７と、吸引モータ３７の駆動により第１タンク２６に汚水を供給するための吸引ホース３９と、第１タンク２６の下方に位置し、第１タンク２６の排水口２８からの汚水を受容する第２タンク３と、第１タンク２６の排水口２８から第２タンク３に供給される汚水が通過する際に汚水中の残渣を捕集するための残渣捕集フィルタ１６とを有するもの。【選択図】      図１
2008264647.tif 000002
【特許請求の範囲】
【請求項１】
排水口を備え、汚水が充填される第１タンクと、
前記第１タンク内を負圧にするための吸引モータと、
前記吸引モータの駆動により前記第１タンクに汚水を供給するための吸引ホースと、
前記第１タンクの下方に位置し、前記第１タンクの排水口からの汚水を受容する第２タンクと、
前記第１タンクの排水口から前記第２タンクに供給される汚水が通過する際に汚水中の残渣を捕集するための残渣捕集フィルタと
を有することを特徴とする残渣除去装置。
【請求項２】
前記第１タンク内には、油吸着袋が配設されていることを特徴とする請求項１に記載の残渣除去装置。
【請求項３】
前記吸引ホースには、固形物を除去するための固形物除去フィルタが装着されていることを特徴とする請求項１または請求項２に記載の残渣除去装置。
【請求項４】
前記第２タンクには、前記第１タンクの排水口に対向する部位に開口が形成され第２タンクの上部開口を閉鎖するための閉鎖板が配設されており、前記閉鎖板の開口の下方に、前記残渣捕集フィルタを装着するためのホルダが突設されていることを特徴とする請求項１ないし請求項３のいずれか１項に記載の残渣除去装置。
【請求項５】
前記両タンクの少なくとも一方がペール缶により形成されていることを特徴とする請求項１ないし請求項４のいずれか１項に記載の残渣除去装置。
【請求項６】
前記第２タンクには、逆止弁が内蔵された排水管が接続されていることを特徴とする請求項１ないし請求項５のいずれか１項に記載の残渣除去装置。
【発明の詳細な説明】
【技術分野】
【０００１】
本発明は、汚水中から残渣を除去する残渣除去装置に係り、特に、厨房排水を浄化するグリストラップ槽からの汚水を浄化するのに好適な残渣除去装置に関する。
【背景技術】
【０００２】
厨房排水の浄化システムとしては、一般に、厨房排水を処理する水槽内に汚水を分解するバクテリアやオゾンを供給するようにしたものがあった（例えば、特許文献１）。
【０００３】
また、この特許文献１に記載の浄化システムを改良したものとしてとして、水槽内にオゾンを供給したのちに汚水を分解するバクテリアを供給し、さらにその後に再度オゾンを供給するようにしたものもあった（例えば、特許文献２）。
【０００４】
【特許文献１】特開２００２−０７９２８９号公報
【特許文献２】特開２００６−１３６８１６号公報
【発明の開示】
【発明が解決しようとする課題】
【０００５】
しかしながら、前述した特許文献１，２に記載の厨房排水の浄化システムによっては、厨房排水中の固形物である残渣を十分に除去することができなかった。
【０００６】
そこで、本発明は、厨房排水のような汚水中の残渣を良好に除去することができる残渣除去装置を提供することを目的とする。
【課題を解決するための手段】
【０００７】
前述した目的を達成するため、請求項１に係る本発明の残渣除去装置の特徴は、排水口を備え、汚水が充填される第１タンクと、前記第１タンク内を負圧にするための吸引モータと、前記吸引モータの駆動により前記第１タンクに汚水を供給するための吸引ホースと、前記第１タンクの下方に位置し、前記第１タンクの排水口からの汚水を受容する第２タンクと、前記第１タンクの排水口から前記第２タンクに供給される汚水が通過する際に汚水中の残渣を捕集するための残渣捕集フィルタとを有する点にある。そして、このような構成を採用したことにより、吸引モータの駆動により吸引ホースから第１タンク内に供給された汚水が残渣捕集フィルタを通過する際にこのフィルタに捕集される。
【０００８】
また、請求項２に係る本発明の残渣除去装置の特徴は、前記第１タンク内に油吸着袋が配設されている点にある。そして、このような構成を採用したことにより、第１タンク内に供給された汚水中の油脂分を除去することができる。
【０００９】
さらに、請求項３に係る本発明の残渣除去装置の特徴は、前記吸引ホースに、固形物を除去するための固形物除去フィルタが装着されている点にある。そして、このような構成を採用したことにより、大きな固形物が第１タンク内に吸引されるのを防止することができる。
【００１０】
さらにまた、請求項４に係る本発明の残渣除去装置の特徴は、前記第２タンクに、前記第１タンクの排水口に対向する部位に開口が形成され第２タンクの上部開口を閉鎖するための閉鎖板が配設されており、前記閉鎖板の開口の下方に、前記残渣捕集フィルタを装着するためのホルダが突設されている点にある。そして、このような構成を採用したことにより、ホルダに残渣捕集フィルタを簡単に保持することができる。
【００１１】
また、請求項５に係る本発明の残渣除去装置の特徴は、前記両タンクの少なくとも一方がペール缶により形成されている点にある。そして、このような構成を採用したことにより、装置をコンパクトに構成することができる。
【００１２】
さらに、請求項６に係る本発明の残渣除去装置の特徴は、前記第２タンクに、逆止弁が内蔵された排水管が接続されている点にある。そして、このような構成を採用したことにより、逆止弁の作用により排水管中の排水が逆流するおそれがない。
【発明の効果】
【００１３】
本発明の残渣除去装置によれば、汚水を第１タンク内を負圧にして吸引し、この汚水中の残渣を残渣捕集フィルタを通過させることにより汚水中の残渣を良好に除去することができる。
【００１４】
また、第１タンク内に油吸着袋を配設することにより、汚水中の油脂分を吸着除去することができる。
【発明を実施するための最良の形態】
【００１５】
図１は本発明に係る残渣除去装置の実施形態を示すものであり、この残渣除去装置１は、下面に複数のキャスタ２，２…が取付けられ、走行自在とされた第２タンク３を有している。前記各キャスタ２は、図示しないストッパにより回転を拘束されうるようになっている。
【００１６】
前記第２タンク３は、図２に詳示するように、長方形状をなす底壁４の４辺に沿ってそれぞれ側壁５，５…が立設された形状とされており、各側壁５の内側には上部開口６が形成されている。前記上部開口６の近傍となる各側壁５の内側には、水平方向に延在する防水用のパッキン７が装着されている。
【００１７】
図１に戻って、前記第２タンク３の下端部には、第２タンク３の内外を連通し、第２タンク３内の汚水を排出するための排水管８が突設されており、この配水管８には、汚水の逆流を防止するための逆止弁９が介装されている。
【００１８】
前記各パッキン７上には、図３に示すように、前記上部開口６の平面形状にほぼ等しい形状となる長方形状の閉鎖板１１が載置されるようになっており、この閉鎖板１１のほぼ重心位置には、円形開口１２が穿設されている。また、前記円形開口１２の外周縁となる前記閉鎖板１１の下面には、残渣捕集フィルタ１６を保持するための円筒形状のホルダ１４が垂設されている。
【００１９】
前記残渣捕集フィルタ１６は、前記ホルダ１４に装着される部位のみに開口１７が形成され、その他の部位は密閉状とされている。この残渣捕集フィルタ１６は、伸縮性を有するとともに、かなりの引っ張り強度を有し、しかも、通水性を有するナイロン素材の編み込み製ネットにより構成されている。そして、この残渣捕集フィルタ１６は、その開口１７の近傍が前記ホルダ１４の外周を囲繞している状態において、金属製のホルダバンド１５により残渣捕集フィルタ１６をホルダ１４とともに緊締して前記ホルダ１４に装着されるようになっている。
【００２０】
前記第２タンク３の前記閉鎖板１３の上方は、一側壁５に２つの蝶番１８（一方のみ図示）により回動しうるように取付けられている蓋板１９により開閉可能とされている。前記蓋板１９は、前記蝶番１８が固定されている側壁５に対向する他の側壁５に取付けられている２つの固定具２０により前記閉鎖板１１を被覆した状態において固定されるようになっている。
【００２１】
前記蓋板１９の一端部には、手押し用ハンドル２１が突設されており、また、前記蓋板１９の他端部には、把手２２が突設されている。また、前記蓋板１９の中央部には、比較的大径の円形開口２３が穿設されており、この円形開口２３内には、蓋板１９の上方に延在する円筒状のペール缶ホルダ２４の下端部が固定されている。
【００２２】
前記ペール缶ホルダ２４内には、第１タンクとしての有底円筒形のペール缶２６のほぼ下半部が収納されるようになっており、このペール缶２６の下端は前記閉鎖板１１上に載置されるようになっている。
【００２３】
前記ペール缶２６は、図４に詳示するように、底壁２７を有しており、この底壁２７の中心部には、前記閉鎖板１１の円形開口１２に対向する排水口としての円形開口２８が穿設されている。また、前記ペール缶２６内には、有底の油吸着袋２９がペール缶２６の内周面に密着されるようにして収納されるようになっている。この油吸着袋２９は、天然セルロース１００％からなる不織布によりシート状に形成されており、この材質は、油脂分を吸着し、水分は吸着しないようになっている。
【００２４】
図１に戻って、前記ペール缶ホルダ２４には、円周方向に間隔を隔てて複数のねじ孔３１（１つのみ図示）が螺設されており、各ねじ孔３１にボルト３２を螺装し、図５に示す円弧状のスペーサ３３を介してペール缶２６の外周面を各ボルト３２の先端で押圧することにより、ペール缶２６をペール缶ホルダ２４内において保持するようになっている。
【００２５】
図１に戻って、前記ペール缶２６の上部開口３５は、密に嵌合される蓋体３６により被覆されるようになっている。前記蓋体３６には、ペール缶２６内の空気を外部に排出して、ペール缶２６内を負圧にするための吸引モータ３７が搭載されている。
【００２６】
また、前記蓋体３６には、蓋体３６の内外を連通する蛇腹ホース３８の基端部が固着されている。前記蓋体３６の外方に位置する蛇腹ホース３８の先端部には、剛性を有する直線状の吸引ホース３９の基端部が接続されている。この吸引ホース３９の先端には、割り箸、ビニールかすなどの比較的大型の固形物を吸引ホース内に吸引しないようにするためのネットのような固形物除去フィルタ４０が装着されている。
【００２７】
つぎに、前述した構成からなる本実施形態の作用について説明する。
【００２８】
まず、ペール缶２６内に油吸着袋２９を拡開して収納するとともに、ペール缶２６に蓋体３６を装着する。
【００２９】
一方、閉鎖板１１のホルダ１４に残渣捕集フィルタ１６をホルダバンド１５により装着する。そして、第２タンク３内に閉鎖板１１を配置し、この閉鎖板１１上を蓋板１９により被覆させ、この蓋板１９を固定具２０により固定する。そして、ペール缶２６を蓋板１９のペール缶ホルダ２４内に配設し、各ねじ孔３１にボルト３２を螺装し、円弧状のスペーサ３３を介してペール缶２６の外周面を各ボルト３２の先端で押圧することにより、ペール缶２６をペール缶ホルダ２４内において保持する。
【００３０】
このような状態において、残渣除去装置１をグリストラップ槽（図示せず）の近傍に位置させ、吸引モータ３７を駆動してペール缶２６内を負圧にしておき、吸引ホース３９の先端部をグリストラップ槽の汚水内に挿入する。すると、吸引ホース３９および蛇腹ホース３８を介して負圧とされているペール缶２６内にグリストラップ槽の汚水が吸引供給される。なお、このとき大きな固形物は、吸引ホース３９の先端の固形物除去フィルタ４０に引っかかるため吸引ホース３９内に導入されない。
【００３１】
そして、ペール缶２６内に供給された汚水のうち油脂分は、ペール缶２６内に配設されている油吸着袋２９の表面に付着されて汚水から除去される。また、ペール缶２６内の汚水は、ペール缶２６の円形開口２８、および、この円形開口２８の下方に位置する円筒形ホルダ１４を通過して、残渣捕集フィルタ１６内に到達する。すると、汚水中に含有されている微粒子を含む固形物である残渣は残渣捕集フィルタ１６を通過しえないため、この残渣捕集フィルタ１６に捕捉されることになる。
【００３２】
そして、残渣を除去された汚水は、第２タンク３から配水管８を介してグリストラップ槽に還流される。
【００３３】
このように本実施形態の残渣除去装置１によれば、汚水中の残渣ならびに油脂分を確実に除去することができるので、グリストラップ槽における水の処理が簡単になるし、グリストラップ槽の清掃も容易になる。
【００３４】
また、残渣捕集フィルタ１６は残渣とともに生ごみとして廃棄できる。
【００３５】
さらに、第２タンク３にはキャスタ２が付設されているので、ハンドル２１により簡単に移動することができる。
【００３６】
さらにまた、ペール缶２６には吸引モータ３７が配設されているので、低位に位置しているグリストラップ槽からの汚水を容易に汲み上げることができる。
【００３７】
図６は、本発明に係る残渣除去装置の第２実施形態を示すものであり、本実施形態においては、残渣除去装置４２の第２タンクもペール缶４３により形成されている。
【００３８】
なお、前述した第１実施形態と同様の構成については、図６中に同一の符号を付し、その説明は省略する。
【００３９】
図６において、残渣除去装置４２は、繊維強化プラスチック製の基台４４を有しており、この基台４４の下面には、２本の平行な角パイプ４５が取付けられ、各角パイプにはそれぞれ複数のキャスタ２が装着されている。また、この基台４４上には、ペール缶４３を着座させて固定するための凹部４７が上面に形成されたペール缶固定台４６が搭載されている。この第２タンクとしてのペール缶４３が固定されるようになっている。
【００４０】
また、このペール缶４３の上端には、蓋体４８がホルダバンド４９により固定されるようになっており、この蓋体４８には、第１タンクとしてのペール缶２６内にまで挿入されるホルダ１４が装着されている。このホルダ１４には、前記ペール缶４３内に臨む残渣捕集フィルタ１６がホルダバンド１５により固定されている。
【００４１】
前記蓋体４８上には、第１タンクとしてのペール缶２６を固定するためのペール缶固定台５０が搭載されている。なお、ペール缶２６の下端部内に臨むホルダ１４の上端部の外周には、漏水防止用のパッキン５１が装着されている。
また、前記ペール缶２６の蓋体３６は、固定具５２によりペール缶２６に固定されるようになっている。
【００４２】
このような構成からなる２つのペール缶２６，４３を備えた残渣除去装置４２によれば、前述した残渣除去装置１より小型化して、同様の機能を有することができる。
【００４３】
なお、本発明は、前述した両実施形態に限定されるものではなく、必要に応じて種々の変更が可能である。例えば、本発明の残渣除去装置は、厨房排水を浄化するグリストラップ槽からの汚水を浄化することのみに限定されるものではなく、各種の汚水の浄化に適用されることはもちろんである。
【図面の簡単な説明】
【００４４】
【図１】本発明に係る残渣除去装置の第１実施形態を示す斜視図
【図２】図１の第２タンクの斜視図
【図３】図１に使用される閉鎖板近傍の構成を示す斜視図
【図４】図１のペール缶の斜視図
【図５】図１に使用されるスペーサの斜視図
【図６】本発明に係る残渣除去装置の第２実施形態を示す斜視図
【符号の説明】
【００４５】
１，４２  残渣除去装置  
２  キャスタ
３  第２タンク
８  排水管
９  逆止弁
１１  閉鎖板
１６  残渣捕集フィルタ
１９  蓋板
２１  ハンドル
２６  ペール缶（第１タンク）
２９  油吸着袋
３６  蓋体
３７  吸引モータ
３８  蛇腹ホース
３９  吸引ホース
４０  固定物除去フィルタ
４３  ペール缶（第２タンク）
４４  基台
４６，４９  ホルダバンド
【図１】
2008264647.tif 000003
【図２】
2008264647.tif 000004
【図３】
2008264647.tif 000005
【図４】
2008264647.tif 000006
【図５】
2008264647.tif 000007
【図６】
2008264647.tif 000008